(57)【要約】  【課題】  白基準板の所定領域からの反射光に基づいて取得する比較データのデータ値に基づいて、白基準板からの反射光に基づいて取得する基準データが有する色成分の夫々のデータ値を調整する調整処理を行なう画像処理装置を提供する。  【解決手段】  シェーディング補正部４４の比較回路４４ａにより、白基準板の所定領域からの反射光に基づいて、ＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成される比較データのデータ値が、予め設定してある所定の範囲内の値でないと判断した場合に、制御部が、ＲＯＭのホワイトバランス調整処理プログラムを実行し、ＡＦＥ４２ｒ，４２ｇ，４２ｂにおける増幅器のバイアス及びゲインを調整するホワイトバランス調整処理を行なう。【選択図】      図３
2005130207.tif 000002
【特許請求の範囲】
【請求項１】
基準部材と、
該基準部材からの反射光に基づいて、複数の色成分を有する基準データを取得する取得手段と、
該取得手段が取得した基準データが有する夫々の色成分のデータ値を調整する調整処理を行なう調整手段と
を備える画像処理装置において、
前記取得手段は、前記基準部材からの反射光に基づいて比較データを取得するように構成されており、
前記取得手段が取得した比較データのデータ値を所定の範囲と比較する比較手段を備え、
前記調整手段は、前記比較データのデータ値が所定の範囲内にない場合に、前記調整処理を行なうように構成されていることを特徴とする画像処理装置。
【請求項２】
所定の時間間隔を隔てて前記基準部材の所定の領域に光を照射する光源を備え、
前記比較手段は、前記光源が照射した光による前記基準部材からの反射光に基づいて前記取得手段が取得した比較データのデータ値を所定の範囲と比較するように構成されていることを特徴とする請求項１に記載の画像処理装置。
【請求項３】
前記取得手段は、原稿からの反射光に基づいて画像データを取得するように構成されており、
前記取得手段が取得した画像データに補正処理を行なう補正手段を備え、
前記調整手段は、前記調整処理を行なった場合に、前記補正手段が行なう補正処理に係る情報を取得する手段を備えることを特徴とする請求項１又は２に記載の画像処理装置。
【発明の詳細な説明】
【技術分野】
【０００１】
本発明は、基準部材からの反射光に基づく基準データが有する色成分の夫々のデータ値を調整する調整処理を行なう画像処理装置に関するものである。
【背景技術】
【０００２】
近年、ファクシミリ装置にプリンタ機能を搭載した複合機が普及しており、このような装置において、プリンタ機能の拡張に伴い、カラー複写機能及びカラーファクシミリ通信機能等も搭載されつつある。このような装置は、モノクロ及びカラーの原稿画像を読み取り、画像データを取得する画像読取装置を備えている。画像読取装置は、載置ガラス等の原稿載置台上に載置された原稿に光を照射する光源、原稿からの反射光の光路を変更するミラー、前記光源及びミラーを移動させる移動機構、光電変換素子を主走査方向に多数並べ、結像レンズを通してミラーからの光が入射されるＣＣＤ(Charge Coupled Device )ラインセンサ等を備えている。このような構成の画像読取装置は、光源等を搭載したキャリッジを前記原稿載置台に沿って、副走査方向に移動させながら、主走査方向を長手方向とするＣＣＤラインセンサ（主走査方向と平行に配置されたＣＣＤラインセンサ）により１ラインずつ原稿画像の読み取りを行なっている。
【０００３】
尚、カラー画像読取装置は、上述したＣＣＤラインセンサを３つ備えており、Ｒ（赤）成分用のＣＣＤラインセンサ、Ｇ（緑）成分用のＣＣＤラインセンサ及びＢ（青）成分用のＣＣＤラインセンサの夫々にて読み取ったＲ成分、Ｇ成分及びＢ成分の画像データに基づいてカラー画像データを生成する。このようなカラー画像読取装置は、３つのＣＣＤラインセンサの夫々から出力される出力値にばらつきが生じた場合、生成したカラー画像データのホワイトバランスが崩れてしまうため、３つのＣＣＤラインセンサの夫々から出力される出力値の大きさを調整するホワイトバランス調整処理を実行するように構成されている（例えば、特許文献１参照）。
【０００４】
上述したカラー画像読取装置では、ホワイトバランス調整処理として、例えば、ＣＣＤラインセンサから夫々出力される各色成分のアナログ信号のオフセット電圧を調整する処理を行なっている。しかし、アナログ信号のオフセット電圧は、周囲の温度変化、及びＣＣＤラインセンサ自体の温度変化等によって変動する。従って、これらの温度変化の影響を最小限に止めるために、カラー画像読取装置は、原稿の読取処理を開始する直前にホワイトバランス調整処理を実行することが望ましい。
【特許文献１】特開２００１−７７９９０号公報
【発明の開示】
【発明が解決しようとする課題】
【０００５】
しかし、ホワイトバランス調整処理においては、夫々のＣＣＤラインセンサから出力されるアナログ信号のオフセット電圧を、適切なオフセット電圧となるまで、夫々適宜の大きさを１単位として増減させるため、適切に調整するまでにある程度の時間が必要である。従って、原稿の読取処理を開始する直前にホワイトバランス調整処理を実行した場合には、読取処理を開始するまでに時間がかかり、読取処理の開始時間が遅くなるという問題がある。
【０００６】
本発明は斯かる事情に鑑みてなされたものであり、基準部材からの反射光に基づく基準データが有する夫々の色成分のデータ値を調整する調整処理を実行する必要がある時点で適宜実行することで、原稿の読取処理を開始する直前に前記調整処理を実行する必要がなく、常に調整処理にて調整された状態で、原稿の読取処理を開始することが可能な画像処理装置を提供することを目的とする。
【０００７】
本発明の他の目的は、光源にて照射された光による基準部材からの反射光に基づいて取得した比較データのデータ値に基づいて、基準データが有する夫々の色成分のデータ値を調整する調整処理を行なうか否かの判断を行なうことにより、調整処理を実行すべきか否かをより正確に判断することが可能な画像処理装置を提供することにある。
【０００８】
本発明の更に他の目的は、上述したような調整処理を行なった場合に、補正処理に用いる情報を取得することで、調整処理にて基準データが有する夫々の色成分のデータ値が調整された状態で取得した情報に基づいて精度の良い補正処理を実行することが可能な画像処理装置を提供することにある。
【課題を解決するための手段】
【０００９】
本発明に係る画像処理装置は、基準部材と、該基準部材からの反射光に基づいて、複数の色成分を有する基準データを取得する取得手段と、該取得手段が取得した基準データが有する夫々の色成分のデータ値を調整する調整処理を行なう調整手段とを備える画像処理装置において、前記取得手段は、前記基準部材からの反射光に基づいて比較データを取得するように構成されており、前記取得手段が取得した比較データのデータ値を所定の範囲と比較する比較手段を備え、前記調整手段は、前記比較データのデータ値が所定の範囲内にない場合に、前記調整処理を行なうように構成されていることを特徴とする。
【００１０】
本発明による場合は、基準部材からの反射光に基づいて取得した比較データのデータ値が予め設定された所定の範囲内にない場合に、基準部材からの反射光に基づいて取得した基準データが有する夫々の色成分のデータ値を調整する調整処理を行なうことにより、例えば、原稿画像の読取処理を行なっていない待機中に取得した比較データのデータ値と所定の範囲との比較処理を行ない、必要に応じて前記調整処理を実行する。
【００１１】
本発明に係る画像処理装置は、所定の時間間隔を隔てて前記基準部材の所定の領域に光を照射する光源を備え、前記比較手段は、前記光源が照射した光による前記基準部材からの反射光に基づいて前記取得手段が取得した比較データのデータ値を所定の範囲と比較するように構成されていることを特徴とする。
【００１２】
本発明による場合は、基準部材の所定の領域に所定の時間間隔を隔てて光源にて光を照射させ、この光による基準部材からの反射光に基づいて取得した比較データのデータ値が予め設定された所定の範囲内にない場合に、基準部材からの反射光に基づいて取得した基準データが有する夫々の色成分のデータ値を調整する調整処理を行なうことにより、調整処理を実行すべきか否かの判断をより正確に行なうことができ、必要に応じて前記調整処理を実行する。
【００１３】
本発明に係る画像処理装置は、前記取得手段は、原稿からの反射光に基づいて画像データを取得するように構成されており、前記取得手段が取得した画像データに補正処理を行なう補正手段を備え、前記調整手段は、前記調整処理を行なった場合に、前記補正手段が行なう補正処理に係る情報を取得する手段を備えることを特徴とする。
【００１４】
本発明による場合は、原稿からの反射光に基づいて取得した画像データに補正処理を行なう構成において、上述した調整処理を行なった場合に、前記画像データに行なうべき補正処理に係る情報を取得する。
【発明の効果】
【００１５】
本発明によれば、複数の色成分を有する比較データのデータ値が予め設定された所定の範囲内にない場合、例えば、比較データが有する色成分の夫々のデータ値にばらつきが生じてホワイトバランスが崩れた場合に、基準部材からの反射光に基づいて取得した基準データが有する夫々の色成分のデータ値を調整する調整処理を実行することができ、原稿の読取処理を開始する直前に前記調整処理を行なう必要がなく、適切なタイミングで調整処理を実行することができる。
【００１６】
本発明によれば、基準部材の所定の領域に所定の時間間隔を隔てて光源にて照射された光による基準部材からの反射光に基づいて取得した比較データのデータ値が予め設定された所定の範囲内にない場合に、基準部材からの反射光に基づいて取得した基準データが有する夫々の色成分のデータ値を調整する調整処理を行なうことにより、調整処理を実行すべきか否かの判断をより正確に行なうことができる。
【００１７】
本発明によれば、原稿からの反射光に基づいて取得した画像データに補正処理を行なう構成において、上述したような調整処理を行なった場合に、補正処理に係る情報を取得することにより、例えば、カラー画像データについてホワイトバランスが調整された状態で取得した情報に基づいて補正処理を実行することができ、画質の劣化を防止することができる。
【発明を実施するための最良の形態】
【００１８】
以下に、本発明に係る画像処理装置を、複合機における実施の形態を示す図面に基づいて詳述する。図１は本発明に係る複合機の構成例を示すブロック図であり、図中１は複合機を示している。複合機１は、制御部１０、ＲＯＭ１１、ＲＡＭ１２、ＮＣＵ(Network Control Unit)１３、モデム１４、読取部１５、入力画像処理部１６、画像メモリ１７、出力画像処理部１８、操作部１９、表示部２０、記録部２１、通信インタフェース２２、ＪＰＥＧ−ＣＯＤＥＣ２３、ＣＯＤＥＣ２４等を備えており、夫々はバス２５を介して相互に接続されている。
【００１９】
制御部１０は、具体的にはＣＰＵ(Central Processing Unit) 等で構成されており、バス２５を介して接続される上述したようなハードウェア各部を制御すると共に、ＲＯＭ１１に格納された制御プログラムに従って、種々のソフトウェア的機能を実現する。ＲＯＭ１１は、本実施の形態に係る複合機１としての動作に必要な種々の制御プログラム、及び読取部１５におけるホワイトバランスを調整するためのホワイトバランス調整処理プログラムを予め記憶している。ＲＡＭ１２は、ＳＲＡＭ又はフラッシュメモリ等で構成され、制御部１０による制御プログラムの実行時に発生するデータを一時的に記憶する。
【００２０】
モデム１４は、ファクシミリ通信が可能なファックスモデムで構成されており、ＮＣＵ１３と直接的にも接続されている。ＮＣＵ１３は、公衆電話回線網Ｌと接続されており、必要に応じてモデム１４を公衆電話回線網Ｌと接続し、公衆電話回線網Ｌを介して外部の装置との間でのファクシミリ通信を可能としている。
【００２１】
読取部１５は、ＣＣＤ(Charge Coupled Device)等を利用したスキャナで原稿を読み取ることにより、例えばＲＧＢ表色系等の複数の色成分を有するカラー画像データを取得する取得手段として動作し、取得した画像データを入力画像処理部１６に入力する。入力画像処理部１６は、読取部１５から入力されたＲＧＢ表色系の画像データを、必要に応じて例えばＬａｂ（Ｌ：明度情報，ａ：赤〜緑の色情報，ｂ：黄〜青の色情報）表色系の画像データ又はＹＣｒＣｂ（Ｙ：輝度成分、ＣｒＣｂ：色差成分）表色系の画像データに変換する。
【００２２】
ＪＰＥＧ−ＣＯＤＥＣ２３は、カラー多値データにＪＰＥＧ方式に基づく符号化処理を行なうものであり、入力画像処理部１６により生成されたＹＣｒＣｂ表色系の画像データにＪＰＥＧ方式に基づく符号化処理を行ない、ＪＰＥＧ圧縮した画像データを画像メモリ１７に記憶させる。画像メモリ１７は、ＤＲＡＭにより構成されており、ＪＰＥＧ−ＣＯＤＥＣ２３にて圧縮された画像データ及び入力画像処理部１６から取得したＬａｂ表色系の画像データを記憶する。
【００２３】
また、画像メモリ１７に記憶してある画像データは、必要に応じて出力画像処理部１８又はＪＰＥＧ−ＣＯＤＥＣ２３に読み出される。ＪＰＥＧ−ＣＯＤＥＣ２３は、画像メモリ１７から読み出されたＪＰＥＧ圧縮された画像データに復号処理を行ない、伸張した画像データを出力画像処理部１８へ出力する。出力画像処理部１８は、画像メモリ１７から読み出されたＬａｂ表色系の画像データ又はＪＰＥＧ−ＣＯＤＥＣ２３により復号されたＹＣｒＣｂ表色系の画像データを、例えばＣＭＹＫ（Ｃ：シアン、Ｍ：マゼンタ、Ｙ：イエロー、Ｋ：ブラック）表色系の画像出力用の画像データに変換する。
【００２４】
出力画像処理部１８が生成する画像出力用のＣＭＹＫ表色系の画像データは、順次ＣＯＤＥＣ２４に入力される。ＣＯＤＥＣ２４は、モノクロ２値データに例えばＭＨ，ＭＲ，ＭＭＲ，ＪＢＩＧ等の方式に基づく符号化処理を行なうものであり、出力画像処理部１８から取得した画像データに所定の符号化処理を行ない、得られた画像データを画像メモリ１７に一旦記憶させる。また、制御部１０は、ＣＯＤＥＣ２４にて符号化された画像データを画像メモリ１７から読み出し、ＣＯＤＥＣ２４にて復号処理を行なった後、記録部２１に入力する。記録部２１は、電子写真方式のプリンタ装置であって、出力画像処理部１８にて変換された画像出力用の画像データに基づく画像を、ハードコピーとしてＡ３縦，Ｂ４縦，Ａ４縦，Ｂ５横及びＡ５横等の各サイズの記録紙又はＯＨＰシートから最適なサイズのものを選択して記録する。
【００２５】
一方、出力画像処理部１８は、画像データを通信インタフェース２２を介して外部の装置へ送信する場合、画像メモリ１７から読み出された画像データを所定のフォーマットに変換して通信インタフェース２２に入力する。通信インタフェース２２は、図示しないネットワークを介して接続される外部のコンピュータ等の装置へ、出力画像処理部１８から入力された画像データを送信し、また、ネットワークを介して外部の装置から画像データを受信する。
【００２６】
表示部２０は、液晶ディスプレイ（ＬＣＤ）で構成されており、複合機１の動作状況、複合機１として表示すべき表示画面、操作部１９から入力された文字等を表示する。操作部１９は、複合機１を操作するために必要な各種のキーを備えている。尚、表示部２０をタッチパネル方式のものとすることにより、操作部１９の各種のキーのうちの一部又は全部を代用することも可能である。
【００２７】
図２は読取部１５の構成例を示す図であり、図２（ａ）の概観斜視図に示すように、読取部１５は、直方体型の筺体３０と、筺体３０上面の一辺に開閉自在に取り付けられたプラテンカバー３１と、筺体３０上面に設けられた長方形型のプラテンガラス（原稿載置台）３２とを備えている。この読取部１５は、ＦＢＳ(Flat Bed Scanner)方式の読み取りが可能であるが、ＡＤＦ(Automatic Document Feeder) 方式のスキャナを備えて、原稿を自動的に搬送して読み取ることも可能である。
【００２８】
図２（ｂ）は読取部１５の内部構成例を示すブロック図であり、図２（ｂ）は図２（ａ）において矢符Ａで示す方向から見た図を示している。読取部１５の筺体３０は、プラテンガラス３２を備える上面板の内側に、矢符ｙで示す方向（副走査方向）でのプラテンガラス３２の一端辺（図２においては左側端辺）に沿って、白い板からなる白基準板（基準部材）３３が、長手方向を図２（ａ）の矢符ｘで示す方向（主走査方向）に平行に配置してある。
【００２９】
また、筺体３０の内部には、白色蛍光灯又は冷陰極管等からなり、白基準板３３及びプラテンガラス３２上に載置された原稿に光を照射する光源ランプ（光源）３４、白基準板３３及び原稿からの反射光の光路ｌを変更する板状の第１ミラー３５、第２ミラー３７及び第３ミラー３８を、夫々所定の位置で、長手方向を主走査方向（図２（ａ）中のｘで示す方向）に平行に配置してある。光源ランプ３４及び第１ミラー３５は、副走査方向ｙに、プラテンガラス３２の一端部をホームポジションとして、このホームポジションから他端部までの移動が可能な第１キャリッジ３６に搭載されている。また、第２ミラー３７及び第３ミラー３８は、第１キャリッジ３６の移動に対応して、副走査方向ｙに、プラテンガラス３２の中央部から前記他端部までの移動を行なう第２キャリッジ３９に搭載されている。
【００３０】
更に、筺体３０の内部には、第１ミラー３５、第２ミラー３７及び第３ミラー３８により光路ｌが変更された白基準板３３及び原稿からの反射光を集光する結像レンズ４０を備え、結像レンズ４０を通して前記反射光が入射されるＣＣＤラインセンサ４１も、長手方向を主走査方向ｘに平行に配置してある。このような構成により、読取部１５は、第１キャリッジ３６及び第２キャリッジ３９を副走査方向ｙに移動させながら、主走査方向ｘを長手方向としたＣＣＤラインセンサ４１により副走査方向ｙに１ラインずつ原稿画像の読取を行なう。
【００３１】
上述した構成により、第１キャリッジ３６は、プラテンガラス３２上に載置された原稿の下面に沿って副走査方向ｙに移動しながら原稿により反射された反射光を第１ミラー３５により反射させる。また、この反射光を第２ミラー３７及び第３ミラー３８により反射させて所定の光路ｌに変更し、この所定の光路ｌで入射された光を結像レンズ４０を介してＣＣＤラインセンサ４１が取得する。尚、本実施の形態における読取部１５は、図３に示すように、ＲＧＢ表色系において、夫々Ｒ成分，Ｇ成分及びＢ成分に対応した反射光を取得すべく、３つのＣＣＤラインセンサ４１ｒ，４１ｇ，４１ｂを備えており、夫々取得した光の大きさに基づきアナログ信号を生成し、生成したアナログ信号を夫々対応するＡＦＥ（Analog Front End：アナログ・フロント・エンド）４２ｒ，４２ｇ，４２ｂに入力する。
【００３２】
ＣＣＤラインセンサ４１ｒ，４１ｇ，４１ｂは、第１キャリッジ３６及び第２キャリッジ３９が移動を開始する所定時間前から、光源ランプ３４から照射された光を取得しており、筺体３０の上面内側に設けられた白基準板３３からの反射光も取得している。従って、ＣＣＤラインセンサ４１ｒ，４１ｇ，４１ｂにより取得した反射光に基づいて、ＡＦＥ４２ｒ，４２ｇ，４２ｂ及びＡ／Ｄ変換器４３ｒ，４３ｇ，４３ｂにて生成されるデータには、原稿からの反射光に基づく原稿画像データ、及び白基準板３３からの反射光に基づく基準データが含まれ、読取部１５は基準データを取得する取得手段としても動作する。
【００３３】
図３は読取部１５の構成例を示すブロック図であり、読取部１５は、ＣＣＤラインセンサ４１ｒ，４１ｇ，４１ｂが夫々出力するＲ成分、Ｇ成分、Ｂ成分のアナログ信号に対応して、ＡＦＥ４２ｒ，４２ｇ，４２ｂと、Ａ／Ｄ（アナログ／デジタル）変換器４３ｒ，４３ｇ，４３ｂとを有しており、更にシェーディング補正部（補正手段）４４を備えている。ＣＣＤラインセンサ４１ｒ，４１ｇ，４１ｂは、第１ミラー３５，第２ミラー３７及び第３ミラー３８により反射された反射光を、Ｒ成分，Ｇ成分及びＢ成分夫々のアナログ信号に変換し、変換したアナログ信号を夫々ＡＦＥ４２ｒ，４２ｇ，４２ｂへ出力する。
【００３４】
ＡＦＥ４２ｒ，４２ｇ，４２ｂは夫々、増幅器（図示せず）、サンプルホールド回路（図示せず）等を備え、ＣＣＤラインセンサ４１ｒ，４１ｇ，４１ｂから出力されたアナログ信号を夫々、増幅器により所定の大きさに増幅し、増幅されたアナログ信号を、サンプルホールド回路により一定のタイミング毎にサンプルホールドし、この各値をＡ／Ｄ変換器４３ｒ，４３ｇ，４３ｂへ出力する。Ａ／Ｄ変換器４３ｒ，４３ｇ，４３ｂは、ＡＦＥ４２ｒ，４２ｇ，４２ｂから取得したアナログ信号をデジタル信号に変換し、シェーディング補正部４４へ出力する。尚、本実施の形態においては、Ａ／Ｄ変換器４３ｒ，４３ｇ，４３ｂは、８ビットのデジタル信号を出力している。
【００３５】
シェーディング補正部４４にはＲＡＭ４４ｂが接続されており、シェーディング補正部４４は、Ａ／Ｄ変換器４３ｒ，４３ｇ，４３ｂの夫々から入力される基準データに基づき生成するシェーディングデータをＲＡＭ４４ｂに記憶する。また、シェーディング補正部４４は、Ａ／Ｄ変換器４３ｒ，４３ｇ，４３ｂの夫々から入力される原稿画像データに対して、ＲＡＭ４４ｂに記憶してあるシェーディングデータに基づいて、読取部１５に含まれる照明系、結像系及び撮像系で生じた各種の歪みを取り除くシェーディング補正処理を行ない、処理した画像データを入力画像処理部１６へ出力する。
【００３６】
ここで、読取部１５は、例えば原稿画像の読取処理を行なっていない待機中に、所定のタイミングで、第１キャリッジ３６及び第２キャリッジ３９を移動させずに白基準板３３の所定の領域からの光を、ＣＣＤラインセンサ４１ｒ，４１ｇ，４１ｂにて取得し、ＡＦＥ４２ｒ，４２ｇ，４２ｂ及びＡ／Ｄ変換器４３ｒ，４３ｇ，４３ｂにて生成される比較データを取得する取得手段としても動作している。尚、比較データは、白基準板３３からの反射光に基づいて生成される基準データにおいて、主走査方ｘの１ライン分全ての画素データに基づいて生成する必要はなく、１ライン中の一部の画素データのみに基づいて生成すればよい。例えば、主走査方向ｘに隣合う４画素が夫々副走査方向ｙに隣合う４画素による１６画素の平均値を比較データとしてもよい。
【００３７】
また、シェーディング補正部４４は、このように取得した比較データのデータ値を、予めＲＯＭ１１に設定してありＲＡＭ４４ｂに読み出した所定の範囲と比較する比較回路（比較手段）４４ａを備えており、Ａ／Ｄ変換器４３ｒ，４３ｇ，４３ｂの夫々から入力される比較データのデータ値が所定の範囲内の値でない場合に、その旨を制御部１０に通知する。
【００３８】
制御部１０は、読取部１５が取得した比較データのデータ値が所定の範囲内の値でないことを通知された場合、ＲＯＭ１１に記憶してあるホワイトバランス調整処理プログラムをＲＡＭ１２に読み出して実行し、ホワイトバランス調整処理を行なう調整手段として動作する。ホワイトバランス調整処理は、具体的には、制御部１０が、ＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成された白基準板３３からの反射光に基づく基準データにおける夫々の色成分のデータ値が同程度になるように、ＡＦＥ４２ｒ，４２ｇ，４２ｂにおける増幅器のバイアス及びゲインを調整する処理である。より具体的には、基準データにおいて、各色成分毎に主走査方向ｘに隣合う４画素が夫々副走査方向ｙに隣合う４画素による１６画素の平均値を算出し、算出したデータ値を予めＲＯＭ１１に記憶してある目標値となるようにＡＦＥ４２ｒ，４２ｇ，４２ｂが備える各増幅器のバイアス及びゲインを調整する。
【００３９】
尚、ホワイトバランス調整処理において、ＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成される基準データにおける夫々の色成分のデータ値の目標値は、増幅器のバイアスを調整する際に用いる黒データ用の目標値と、増幅器のゲインを調整する際に用いる白データ用の目標値として予めＲＯＭ１１に記憶してあり、夫々の色成分において共通で用いられる。また、本実施の形態の複合機１において、制御部１０は、上述したようなホワイトバランス調整処理を実行した場合、シェーディング補正部４４にて、Ａ／Ｄ変換器４３ｒ，４３ｇ，４３ｂから出力される基準データに基づくシェーディングデータ（補正処理に係る情報）を取得し、取得したシェーディングデータをＲＡＭ４４ｂに記憶させる。
【００４０】
ここで、シェーディング補正部４４が行なうシェーディング補正処理に用いるシェーディングデータには、黒データＢ及び白データＷがある。黒データＢは、光源ランプ３４の消灯時に、白基準板３３からの光に基づいてＣＣＤラインセンサ４１ｒ，４１ｇ，４１ｂ、ＡＦＥ４２ｒ，４２ｇ，４２ｂ、Ａ／Ｄ変換器４３ｒ，４３ｇ，４３ｂを経て出力された基準データにおける複数の主走査方向のラインの平均値であり、白データＷは、光源ランプ３４の点灯時に、白基準板３３からの反射光に基づいてＣＣＤラインセンサ４１ｒ，４１ｇ，４１ｂ、ＡＦＥ４２ｒ，４２ｇ，４２ｂ、Ａ／Ｄ変換器４３ｒ，４３ｇ，４３ｂを経て出力された基準データにおける複数の主走査方向のラインの平均値である。
【００４１】
シェーディング補正部４４は、上述したように、制御部１０によるホワイトバランス調整処理の実行後に取得してＲＡＭ４４ｂに記憶されたシェーディングデータ（黒データＢ及び白データＷ）に基づいて、Ａ／Ｄ変換器４３ｒ，４３ｇ，４３ｂ夫々から出力される原稿画像データに対してシェーディング補正処理を行なう。尚、シェーディング補正部４４は、例えば以下のような（１）式に基づいた補正処理を行なう。
【００４２】
Ｖｏｕｔ＝（Ｖｉｎ−Ｂ）×｛２の（ビット数）乗｝／（Ｗ−Ｂ）  …（１）
Ｖｉｎ：補正前の原稿画像データ，Ｖｏｕｔ：補正後の原稿画像データ，
ビット数：Ａ／Ｄ変換器の有効出力ビット数
【００４３】
本実施の形態の読取部１５では、ＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂは、夫々並列に処理を行なっており、シェーディング補正部４４は、Ａ／Ｄ変換器４３ｒ，４３ｇ，４３ｂから夫々出力されるＲ成分、Ｇ成分、Ｂ成分の画像データについて、例えば、Ｒ成分、Ｇ成分、Ｂ成分の順にシェーディング補正処理を実行する。尚、Ｒ成分、Ｇ成分、Ｂ成分の画像データに対応してシェーディング補正部４４を３つ設けることにより、シェーディング補正処理もＲ成分、Ｇ成分、Ｂ成分毎に並列に実行する構成とすることもできる。
【００４４】
以下に、上述した構成の複合機１において、待機中の読取部１５によるホワイトバランス調整処理について説明する。図４は本発明に係る複合機１におけるホワイトバランス調整処理を実行するか否かの判断処理手順を示すフローチャートである。複合機１において、制御部１０は、プラテンガラス３２上に原稿が載置されて各種のボタンがオンされる等により、原稿画像の読取処理が指示されたか否かを判断する（Ｓ１）。ここで、原稿画像の読取処理が指示されたと判断した場合（Ｓ１：ＹＥＳ）、制御部１０は、読取部１５により原稿画像の読取処理を実行させる（Ｓ２）。具体的には、読取部１５の光源ランプ３４、ＣＣＤラインセンサ４１ｒ，４１ｇ，４１ｂ等を駆動させ、プラテンガラス３２上に載置された原稿からの反射光に基づいて、ＡＦＥ４２ｒ，４２ｇ，４２ｂ及びＡ／Ｄ変換器４３ｒ，４３ｇ，４３ｂにて原稿画像データを生成し、得られた原稿画像データを入力画像処理部１６へ入力する。
【００４５】
一方、制御部１０は、原稿画像の読取処理が指示されていないと判断した場合（Ｓ１：ＮＯ）、即ち、読取部１５が待機状態である場合、所定のタイミングで第１キャリッジ３６及び第２キャリッジ３９を駆動させずに、ＣＣＤラインセンサ４１ｒ，４１ｇ，４１ｂを駆動させる（Ｓ３）。従って、シェーディング補正部４４は、ＣＣＤラインセンサ４１ｒ，４１ｇ，４１ｂが取得した白基準板３３の所定領域からの光に基づいて、ＡＦＥ４２ｒ，４２ｇ，４２ｂ及びＡ／Ｄ変換器４３ｒ，４３ｇ，４３ｂにて生成された比較データを取得する（Ｓ４）。また、シェーディング補正部４４は、取得した比較データの夫々の色成分におけるデータ値を算出し（Ｓ５）、夫々のデータ値とＲＡＭ４４ｂに記憶してある所定の範囲とを比較することで、夫々のデータ値が所定の範囲内の値であるか否かを判断する（Ｓ６）。尚、夫々の色成分におけるデータ値として、例えば、比較データの夫々の色成分における複数の画素データの平均値を算出する。
【００４６】
シェーディング補正部４４は、取得した比較データの夫々の色成分におけるデータ値が所定の範囲内の値であると判断した場合（Ｓ６：ＹＥＳ）、ステップＳ１の処理に戻り、所定の範囲内の値でないと判断した場合（Ｓ６：ＮＯ）、ＡＦＥ４２ｒ，４２ｇ，４２ｂに備える増幅器のバイアス及びゲインを調整するホワイトバランス調整処理を実行する（Ｓ７）。尚、ホワイトバランス調整処理については後に詳述する。
【００４７】
上述したように、複合機１において、読取部１５が待機状態である場合に、所定のタイミングでＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成される比較データのデータ値に基づいて、ホワイトバランスが崩れたことを検知し、ホワイトバランスが崩れたことを検知した場合に、ホワイトバランス調整処理を行なうことにより、常にホワイトバランスが調整された状態で原稿画像の読取処理を行なうことができる。
【００４８】
以下に、上述した構成の複合機１におけるホワイトバランス調整処理について説明する。図５及び図６は本発明に係る複合機１におけるホワイトバランス調整処理手順を示すフローチャートである。複合機１において、シェーディング補正部４４が、上述したように、Ａ／Ｄ変換器４３ｒ，４３ｇ，４３ｂの夫々から入力される比較データの夫々の色成分におけるデータ値が所定の範囲内の値ではなく、ホワイトバランスが崩れていると検知した場合、その旨を制御部１０へ通知した場合、制御部１０は、ＲＯＭ１１に記憶してあるホワイトバランス調整処理プログラムをＲＡＭ１２に読み出して順次実行する。
【００４９】
制御部１０は、まず、読取部１５のＡＦＥ４２ｒ，４２ｇ，４２ｂが備える増幅器の増幅率を予めＲＯＭ１１等に記憶してある初期値に設定することにより初期設定を行ない（Ｓ１１）、光源ランプ３４を点灯させずにＣＣＤラインセンサ４１ｒ，４１ｇ，４１ｂを駆動させる（Ｓ１２）。読取部１５においては、第１キャリッジ３６、第２キャリッジ等の駆動を行なわず、白基準板３３からの光をＣＣＤラインセンサ４１ｒ，４１ｇ，４１ｂにて取得し、取得した光に基づいてＡＦＥ４２ｒ，４２ｇ，４２ｂ及びＡ／Ｄ変換器４３ｒ，４３ｇ，４３ｂにて生成される基準データを取得する（Ｓ１３）。また、制御部１０は、取得した基準データから１つの色成分を選択し、選択した色成分における平均値を算出する（Ｓ１４）。具体的には、例えば、選択した色成分の基準データにおける複数の画素データにおける平均値を算出する。
【００５０】
制御部１０は、算出した平均値が予めＲＯＭ１１に設定してある黒データ用の目標値よりも大きいか否かを判断し（Ｓ１５）、目標値よりも小さいと判断した場合（Ｓ１５：ＮＯ）、ステップＳ１４で選択した色成分のデータを処理するＡＦＥ４２ｒ（又は４２ｇ，４２ｂ）における増幅器のバイアスを所定値増加させて（Ｓ１６）ステップＳ１３の処理に戻る。また制御部１０は、バイアスの値が増加されたＡＦＥ４２ｒを用いて、ＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて基準データを取得し（Ｓ１３）、同様に、取得した基準データのうちの１つの色成分における平均値を算出する（Ｓ１４）。
【００５１】
制御部１０は、算出した平均値が予め設定してある黒データ用の目標値よりも大きくなるまで、ステップＳ１３からＳ１６までの処理を繰り返し、算出した平均値が目標値よりも大きいと判断した場合（Ｓ１５：ＹＥＳ）、ステップＳ１６で順次増加させたバイアスの値を、１つ前の値に設定する（Ｓ１７）。
【００５２】
次に制御部１０は、光源ランプ３４を点灯させ（Ｓ１８）、白基準板３３からの反射光に基づいてＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成される基準データを取得する（Ｓ１９）。また、制御部１０は、ステップＳ１４と同様に、取得した基準データのうちの１つの色成分における平均値を算出し（Ｓ２０）、算出した平均値が予めＲＯＭ１１に設定してある白データ用の目標値よりも大きいか否かを判断する（Ｓ２１）。制御部１０は、算出した平均値が目標値よりも小さいと判断した場合（Ｓ２１：ＮＯ）、ステップＳ２０で選択した色成分のデータを処理するＡＦＥ４２ｒ（又は４２ｇ，４２ｂ）における増幅器のゲインを所定値増加させて（Ｓ２２）ステップＳ１９の処理に戻る。
【００５３】
制御部１０は、ゲインの値が増加されたＡＦＥ４２ｒを用いて、白基準板３３からの反射光に基づいてＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成された基準データを取得し（Ｓ１９）、同様に、取得した基準データのうちの１つの色成分における平均値を算出する（Ｓ２０）。制御部１０は、算出した平均値が予め設定してある白データ用の目標値よりも大きくなるまで、ステップＳ１９からＳ２２までの処理を繰り返し、算出した平均値が目標値よりも大きいと判断した場合（Ｓ２１：ＹＥＳ）、ステップＳ２２で順次増加させたゲインの値を、１つ前の値に設定する（Ｓ２３）。
【００５４】
制御部１０は、光源ランプ３４を消灯させ（Ｓ２４）、Ｒ成分、Ｇ成分、Ｂ成分の全ての色成分について、対応するＡＦＥ４２ｒ，４２ｇ，４２ｂの増幅器のバイアス及びゲインを調整する処理が終了したか否かを判断しており（Ｓ２５）、全ての色成分についての処理が終了していないと判断した場合（Ｓ２５：ＮＯ）、ステップＳ１３の処理に戻り、夫々の色成分について、ステップＳ１３からＳ２４までの処理を繰り返す。また、夫々のＡＦＥ４２ｒ，４２ｇ，４２ｂの増幅器のバイアス及びゲインを調整する処理が終了したと判断した場合（Ｓ２５：ＹＥＳ）、即ちホワイトバランスが調整された場合、シェーディング補正部４４は、光源ランプ３４を点灯させずに白基準板３３からの反射光に基づいてＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成される基準データを取得し、取得した基準データにおける平均値を算出して黒データＢとして取得し（Ｓ２６）ＲＡＭ４４ｂに記憶させる。
【００５５】
次にシェーディング補正部４４は、制御部１０からの指示に従って光源ランプ３４を点灯させ（Ｓ２７）、白基準板３３からの反射光に基づいてＣＣＤラインセンサ４１ｒ，４１ｇ，４１ｂ、ＡＦＥ４２ｒ，４２ｇ，４２ｂ及びＡ／Ｄ変換器４３ｒ，４３ｇ，４３ｂにて生成される基準データを取得し、取得した基準データにおける平均値を算出して白データＷとして取得し（Ｓ２８）ＲＡＭ４４ｂに記憶させて処理を終了する。
【００５６】
上述したように、シェーディング補正部４４が、Ａ／Ｄ変換器４３ｒ，４３ｇ，４３ｂから出力される比較データのデータ値に基づいて、ホワイトバランスが崩れたと判断した場合に、ホワイトバランス調整処理を実行し、ホワイトバランス調整処理を実行した後に、シェーディング補正処理に用いるシェーディングデータを取得しておくことで、読取部１５が、常にホワイトバランスが調整された状態で原稿画像の読取処理を開始することができるとともに、ホワイトバランスが調整された状態で取得したシェーディングデータに基づく補正処理を実行することができる。
【００５７】
上述した実施の形態では、シェーディング補正部４４は待機状態である場合に、所定のタイミングで、光源ランプ３４を点灯させずに取得する比較データの夫々の色成分におけるデータ値に基づいて、ホワイトバランスが崩れたことを検知するように構成されているが、待機中に所定のタイミングで光源ランプ３４を点灯させ、このときに取得する比較データのデータ値に基づいてホワイトバランスが崩れたことを検知するように構成することも可能であり、この場合には、より正確にホワイトバランスが崩れたことを検知することができる。尚、白基準板３３において、比較データとして必要な所定領域に光を照射できる光源ランプを別途に備えることにより、白基準板３３の全体を照射する光源ランプ３４を点灯させた場合と比較して効率よく、より効果的な比較データを取得することができる。
【図面の簡単な説明】
【００５８】
【図１】本発明に係る複合機の構成例を示すブロック図である。
【図２】読取部の構成例を示す図である。
【図３】読取部の構成例を示すブロック図である。
【図４】本発明に係る複合機におけるホワイトバランス調整処理を実行するか否かの判断処理手順を示すフローチャートである。
【図５】本発明に係る複合機におけるホワイトバランス調整処理手順を示すフローチャートである。
【図６】本発明に係る複合機におけるホワイトバランス調整処理手順を示すフローチャートである。
【符号の説明】
【００５９】
１  複合機（画像処理装置）
１０  制御部（調整手段）
１５  読取部（取得手段）
３２  プラテンガラス
３３  白基準板（基準部材）
３４  光源ランプ（光源）
４４  シェーディング補正部（補正手段）
４４ａ  比較回路（比較手段）
４４ｂ  ＲＡＭ
【図１】
2005130207.tif 000003
【図２】
2005130207.tif 000004
【図３】
2005130207.tif 000005
【図４】
2005130207.tif 000006
【図５】
2005130207.tif 000007
【図６】
2005130207.tif 000008